(57)【要約】【課題】  精製水製造装置の熱水殺菌を、より効率よく行なうことができるとともに、殺菌時間を短縮し、熱水に使用する熱エネルギーを減少して、経済的にも環境的にも優れた精製水の製造方法およびそのための精製水製造装置を提供する。【解決手段】  原料水供給槽１を上流とし、上流側から活性炭処理部３、ナノ透過膜処理部４、逆浸透膜処理部５および精製水を貯留する精製水貯留槽６を主要構成要素とし、精製水貯留槽６は加熱手段７を具備し、加熱手段７によって加熱された精製水を、前記各処理部に送液を可能とするバイパス主管９と、バイパス主管９から分岐し、前記加熱精製水を、前記各処理部の上流側に個別に送液するバイパス支管９ａ，９ｂ，９ｃが配設された精製水製造装置を使用し、前記各処理部を、上流側の処理部から所定温度と所定時間を保持させて順次消毒殺菌する。【選択図】      図１
2010000433.tif 000002
【特許請求の範囲】
【請求項１】
原料水供給槽を上流とし、上流側から活性炭処理部、ナノ透過膜処理部、逆浸透膜処理部およびそれらの処理部で処理され製造された精製水を貯留する精製水貯留槽を主要構成要素とし、
前記精製水貯留槽は加熱手段を具備し、
前記加熱手段によって加熱された精製水を、前記各処理部に送液を可能とするバイパス主管と、
前記バイパス主管から分岐し、前記加熱精製水を、前記各処理部の上流側に個別に送液するバイパス支管が配設されていること
を特徴とする精製水製造装置。
【請求項２】
原料水供給槽を上流とし、上流側から活性炭処理部、ナノ透過膜処理部、逆浸透膜処理部およびそれらの処理部で処理され製造された精製水を貯留する精製水貯留槽を主要構成要素とし、
前記精製水貯留槽は加熱手段を具備し、
前記加熱手段によって加熱された精製水を、前記各処理部に送液を可能とするバイパス主管と、
前記バイパス主管から分岐し、前記加熱精製水を、前記各処理部の上流側に個別に送液するバイパス支管が配設されたもので、
前記最上流側に位置するバイパス支管を経て、最上流側の処理部から下流側の各処理部へ前記加熱精製水を循環させ、最上流側の処理部通過した加熱精製水の温度が所定温度以上に達し、かつその温度が所定時間維持されたとき、当該バイパス支管への送液が停止され、当該処理部の下流側に位置するバイパス支管を経て、次の処理部以降に加熱精製水が送液され、爾後同様の動作を順次繰り返すことによって、主要構成要素の殺菌が施されるよう構成されていること
を特徴とする精製水製造装置。
【請求項３】
前記バイパス主管およびバイパス支管は、
各処理部における原料水ないし中間処理水のバイパス管としての利用可能に配設されていること
を特徴とする請求項１又は２に記載の精製水製造装置。
【請求項４】
原料水供給槽を上流とし、精製水貯留槽を下流とし、その間に順次配置された各水処理部を用いて、原料水から精製水を製造する精製水製造装置の系内の殺菌処理に際し、
前記精製水貯留槽の精製水を加熱しながら、最上流側の水処理部に送液して、精製水製造装置内に精製水を循環させ、
最上流側の水処理部における精製水の温度が所定温度以上に達し、かつ所定時間維持されたとき、当該水処理部への加熱精製水の送液を停止し、当該水処理部の下流側に位置する水処理部に加熱精製水の送液を開始して、当該精製水製造装置の下流側で循環させ、爾後同様の動作を下流側の水処理部に実施することによって行なうこと
を特徴とする精製水製造装置の殺菌方法。
【請求項５】
前記精製水製造装置は、
少なくとも上流側から活性炭処理部、ナノ膜処理部および逆浸透膜処理部を有するものであって、
第１工程：加熱精製水を、前記活性炭処理部からナノ膜処理部および逆浸透膜処理部に順に循環させ、前記活性炭処理部の精製水の温度が、所定温度でかつ所定時間維持されたとき、前記活性炭処理部への送液を停止する工程。
第２工程：前記活性炭処理部への送液が停止されたのち、加熱精製水をナノ膜処理部から逆浸透膜処理部に循環させ、前記ナノ膜処理部の精製水の温度が、所定温度でかつ所定時間維持されたとき、前記ナノ膜処理部への送液を停止する工程。
第３工程：前記ナノ膜処理槽への送液が停止されたのち、加熱精製水を逆浸透膜処理部に循環させ、前記逆浸透膜処理部の精製水の温度が、所定温度でかつ所定時間維持されたとき、前記逆浸透膜処理槽への送液を停止する工程。
を順次実施すること
を特徴とする請求項４に記載の精製水製造装置の殺菌方法。
【請求項６】
前記各処理部の殺菌は、
処理部内温度を、少なくとも温度８０℃以上に保持することにより行なうこと
を特徴とする請求項４又は５に記載の精製水製造装置の殺菌方法。
【請求項７】
前記保持時間は、
１〜６０分であること
を特徴とする請求項６に記載の精製水製造装置の殺菌方法。
【請求項８】
前記精製水の循環は、
常温状態の精製水の加熱開始と同時に、又は加熱によって精製水の温度を、所定温度に昇温中に開始させること
を特徴とする請求項４に記載の精製水製造装置の殺菌方法。
【請求項９】
加熱された精製水による殺菌完了後、原料水を用いて、加温された各処理部を冷却し、冷却に用いられた原料水は系外に排出する工程を有すること
を特徴とする請求項４又は５に記載の精製水製造装置の殺菌方法。
【発明の詳細な説明】
【技術分野】
【０００１】
この発明は、精製水、特に人工透析に用いられる透析水に適した精製水の製造装置とその殺菌方法に関するものであって、精製水製造技術に属するものである。
【背景技術】
【０００２】
市水等から不純物を、逆浸透膜を用いて除去精製して得られる精製水あるいは純水は、食料品や飲料の製造、さらには精製度を上げたものが、医療用として、また、人工透析用水として用いられている。
この医療あるいは人工透析用としての精製水は、従来、逆浸透膜処理のみにより製造されていたが、最近になって、より精製度を上げたものが求められるようになって、逆浸透膜処理に、その他の処理、例えば、ナノ膜処理、イオン交換処理などが併用されるようになってきている。
【０００３】
一方、精製水の製造においては、市水等から混入、あるいは精製水の製造装置に付着ないしガスケットなどから侵入する各種の菌類、特にシュードモナスなどのグラム陰性菌などの棲息を抑え、無菌状態にすることが望まれている。
【０００４】
そのための対策として、製造された精製水を加熱することで、あるいは紫外線を照射することで殺菌しているが、無菌状態の精製水を製造するためには、精製水の製造装置自体も殺菌し、清浄な状態で運転することが重要であるので、精製水の製造装置を洗浄、消毒、殺菌する方法が種々提案されている。
【０００５】
かかる精製水の製造装置を洗浄、消毒、殺菌する方法としては、薬液を使用する方法と熱水を使用する方法が、一般的な方法として挙げられる。
しかしながら、薬液の使用は、精製水の製造装置の劣化や環境への影響などに問題があるので、最近は、熱水、特に加熱精製水を使用する方法が主流となっている。
【０００６】
たとえば、特開２００４−４９９７７号公報（特許文献１）では、加熱装置により作成した温度６０℃以上７５℃未満の高温水を、逆浸透膜分離モジュール部に供給するとともに、膜分離モジュール部の精製水管路と濃縮水管路のそれぞれに、加熱装置と連通する分岐管路を設けることによって、前記高温水を、分岐管路を介して循環せしめ、逆浸透膜モジュールを高温水消毒する方法が提案されている。
【０００７】
また、特開２００４−７４１０９号公報（特許文献２）においては、原料水を逆浸透膜装置および電気再生式純水製造装置をこの順に備えた系で処理し、医薬品用精製水を製造する装置を、この装置で得た処理原料水を加熱しつつ系内に循環させることにより、系内を殺菌する方法が提案されている。
【０００８】
さらに、特開２００７−１４３８２２号公報（特許文献３）では、複数の水処理機器からなり、飲料又は食品の製造に用いられる純水を、原料水から製造する純水製造装置を、１又は複数の水処理機器の単位に分割し、分割された単位ごとに、異なった水質および／または異なった頻度で加熱精製水殺菌する方法が提案されている。
【特許文献１】特開２００４−  ４９９７７号公報（特許請求の範囲）
【特許文献２】特開２００４−  ７４１０９号公報（特許請求の範囲）
【特許文献３】特開２００７−１４３８２２号公報（特許請求の範囲）
【発明の開示】
【発明が解決しようとする課題】
【０００９】
上記の特許文献１や特許文献２に記載された方法は、熱水、特に加熱精製水を、処理部全体に循環して殺菌を行なうというものである。
したがって、装置も操作も単純で、取り扱い易い方法であるが、併用される処理部が増加すると、殺菌時間が長くなり、必要な熱量も多量になって、処理部が増加した装置では、使用し難いという問題を有するものである。
【００１０】
また、特許文献３に記載の方法は、本質的に処理部ごとに殺菌を施すものである。
したがって、その処理部に適した殺菌条件、すなわち、熱水の温度や添加薬剤の種類や量を処理部に応じて変化させることができる点で優れているが、装置全体が複雑になるとともに、操作も簡便でないという問題を有するものである。
【００１１】
この発明はかかる現状に鑑み、熱水による殺菌処理を、特定の処理部だけでなく、精製水の製造装置全体を対象とし、しかも処理時間を少しでも短縮し、系内に生ずる放熱を最小限に抑えることを種々検討した。
【００１２】
その結果、精製水を加熱して得られる加熱精製水を、複数存在する処理部の上流側の処理部から下流に存在する処理部に一括して循環させるとともに、上流側の処理部から順次殺菌を完了させ、殺菌の完了した処理部への加熱精製水の通水を停止するという方法を採用することにより、解決し得ることを見出し、この発明を完成させたものである。
【００１３】
すなわち、この発明は、精製水の製造装置の熱水殺菌を、より効率よく行なうことができるとともに、殺菌処理の要する時間を短縮し、加熱精製水を得るのに使用する熱エネルギーを減少させ、経済的にも環境的にも優れた精製水の製造方法を提供すること、またそのための装置を提供することを目的とするものである。
【課題を解決するための手段】
【００１４】
前記の目的を達成するため、この発明の請求項１に記載の発明は、
原料水供給槽を上流とし、上流側から活性炭処理部、ナノ透過膜処理部、逆浸透膜処理部およびそれらの処理部で処理され製造された精製水を貯留する精製水貯留槽を主要構成要素とし、
前記精製水貯留槽は加熱手段を具備し、
前記加熱手段によって加熱された精製水を、前記各処理部に送液を可能とするバイパス主管と、
前記バイパス主管から分岐し、前記加熱精製水を、前記各処理部の上流側に個別に送液するバイパス支管が配設されていること
を特徴とする精製水製造装置である。
【００１５】
また、この発明の請求項２に記載の発明は、
原料水供給槽を上流とし、上流側から活性炭処理部、ナノ透過膜処理部、逆浸透膜処理部およびそれらの処理部で処理され製造された精製水を貯留する精製水貯留槽を主要構成要素とし、
前記精製水貯留槽は加熱手段を具備し、
前記加熱手段によって加熱された精製水を、前記各処理部に送液を可能とするバイパス主管と、
前記バイパス主管から分岐し、前記加熱精製水を、前記各処理部の上流側に個別に送液するバイパス支管が配設されたもので、
前記最上流側に位置するバイパス支管を経て、最上流側の処理部から下流側の各処理部へ前記加熱精製水を循環させ、最上流側の処理部通過した加熱精製水の温度が所定温度以上に達し、かつその温度が所定時間維持されたとき、当該バイパス支管への送液が停止され、当該処理部の下流側に位置するバイパス支管を経て、次の処理部以降に加熱精製水が送液され、爾後同様の動作を順次繰り返すことによって、主要構成要素の殺菌が施されるよう構成されていること
を特徴とする精製水製造装置である。
【００１６】
また、この発明の請求項３に記載の発明は、
請求項１又は２に記載の精製水製造装置において、
前記バイパス主管およびバイパス支管は、
各処理部における原料水ないし中間処理水のバイパス管としての利用可能に配設されていること
を特徴とするものである。
【００１７】
さらに、この発明の請求項４に記載の発明は、
原料水供給槽を上流とし、精製水貯留槽を下流とし、その間に順次配置された各水処理部を用いて、原料水から精製水を製造する精製水製造装置の系内の殺菌処理に際し、
前記精製水貯留槽の精製水を加熱しながら、最上流側の水処理部に送液して、精製水製造装置内に精製水を循環させ、
最上流側の水処理部における精製水の温度が所定温度以上に達し、かつ所定時間維持されたとき、当該水処理部への加熱精製水の送液を停止し、当該水処理部の下流側に位置する水処理部に加熱精製水の送液を開始して、当該精製水製造装置の下流側で循環させ、爾後同様の動作を下流側の水処理部に実施することによって行なうこと
を特徴とする精製水製造装置の殺菌方法である。
【００１８】
また、この発明の請求項５に記載の発明は、
請求項４に記載の精製水製造装置の殺菌方法において、
前記精製水製造装置は、
少なくとも上流側から活性炭処理部、ナノ膜処理部および逆浸透膜処理部を有するものであって、
第１工程：加熱精製水を、前記活性炭処理部からナノ膜処理部および逆浸透膜処理部に順に循環させ、前記活性炭処理部の精製水の温度が、所定温度でかつ所定時間維持されたとき、前記活性炭処理部への送液を停止する工程。
第２工程：前記活性炭処理部への送液が停止されたのち、加熱精製水をナノ膜処理部から逆浸透膜処理部に循環させ、前記ナノ膜処理部の精製水の温度が、所定温度でかつ所定時間維持されたとき、前記ナノ膜処理部への送液を停止する工程。
第３工程：前記ナノ膜処理槽への送液が停止されたのち、加熱精製水を逆浸透膜処理部に循環させ、前記逆浸透膜処理部の精製水の温度が、所定温度でかつ所定時間維持されたとき、前記逆浸透膜処理槽への送液を停止する工程。
を順次実施すること
を特徴とするものである。
【００１９】
また、この発明の請求項６に記載の発明は、
請求項４又は５に記載の精製水製造装置の殺菌方法において、
前記各処理部の殺菌は、
処理部内温度を、少なくとも温度８０℃以上に保持することにより行なうこと
を特徴とするものである。
【００２０】
また、この発明の請求項７に記載の発明は、
請求項６に記載の精製水製造装置の殺菌方法において、
前記保持時間は、
１〜６０分であること
を特徴とするものである。
【００２１】
また、この発明の請求項８に記載の発明は、
請求項４に記載の精製水製造装置の殺菌方法において、
前記精製水の循環は、
常温状態の精製水の加熱開始と同時に、又は加熱によって精製水の温度を、所定温度に昇温中に開始させること
を特徴とするものである。
【００２２】
また、この発明の請求項９に記載の発明は、
請求項４又は５に記載の精製水製造装置の殺菌方法において、
加熱された精製水による殺菌完了後、原料水を用いて、加温された各処理部を冷却し、冷却に用いられた原料水は系外に排出する工程を有すること
を特徴とするものである。
【発明の効果】
【００２３】
この発明の精製水製造装置の殺菌法は、殺菌すべき処理部の全てに加熱精製水を循環させて、精製水製造装置全体を殺菌するという方式であるため、精製水製造装置が複雑化せず、操作も簡便という優れたものである。
さらに、上流に存在する処理部から流れに沿って加熱精製水を循環させ、殺菌の完了した上流の処理部から順次加熱精製水の循環を終了させることによって、殺菌処理のための時間の短縮化が図られ、結果として、加熱精製水を一定温度に維持する熱量を削減でき、省力的にも大きな貢献をもたらすものである。
【００２４】
さらに、各処理部に加熱精製水を供給する配管を、各処理部のバイパスとして利用することができ、必要に応じて、殺菌されたバイパスとして有効に利用することができるという効果も奏するものである。
【発明を実施するための最良の形態】
【００２５】
以下、この発明の精製水製造装置およびその殺菌方法について、添付の図面を基づいて詳細に説明する。
なお、この発明は実施例にのみ限定されるものではなく、発明の要旨を変更しない範囲内において種々変更を加えることができるものである。
【００２６】
この発明にかかる精製水製造装置は、図１に示すように、原料水供給槽１、カーボンフィルタ濾過処理槽３、ナノ透過膜処理槽４、逆浸透膜処理槽５および精製水貯留槽６を主要構成要素とするものである。
【００２７】
原料水は、図１の濃線に示されるように、原料水供給槽１からインバータ制御されるポンプ８ａによって１０μ径の細孔を有する原料水フィルタ槽２に送られて、原料水中の比較的細かい濁質（１０μ以上）を除去したのち、カーボンフィルタ濾過処理槽３に送られる。
このカーボンフィルタ濾過処理槽３に送られた原料水は、原料水（水道水）中に含まれる塩素を活性炭で吸着除去したのち、ポンプ８ｂによって加圧されながらナノ透過膜処理槽４に送られる。
【００２８】
このナノ透過膜処理槽４においては、原料水中に含まれる金属イオン類を一次除去すると同時に、バクテリア等の有機物も除去されたのち、インバータ制御されるポンプ８ｃによって加圧されながら、逆浸透膜処理槽５に送られる。
【００２９】
前記逆浸透膜処理槽５においては、さらに金属イオン類やバクテリア等の有機物が除去されたのち、精製水貯留槽６において貯えられ、必要に応じて、同じくポンプ８ｄにより透析装置１０などに供給される。
【００３０】
このような精製水製造装置によって製造される、透析用などの医療用水などとして使用される精製水は、その品質について、厳しい規格、特にエンドトキシンなどを産生する生菌についての規格が存在する。
したがって、得られた精製水の品質は常に監視され、その品質に異常が認められた際、あるいは精製水製造装置の生菌による汚染を考慮しなければならない状態に至った時、さらには定期的に、精製水製造装置の殺菌が行われている。
【００３１】
この発明の精製水製造装置においては、その殺菌を加熱精製水で行なうに適した装置とするため、前記精製水貯留槽６には加熱装置７が付設されている。
【００３２】
なお、この加熱装置７は、精製水貯留槽６内の精製水を加熱することができるものであれば、電気ヒータであっても、ボイラーであっても、熱交換方式であっても、その具体的手段には制限はないものである。
また、この加温装置７による精製水の加熱は、精製水の温度が９０℃以上に上昇したときには、加温を停止させるものである。
【００３３】
さらに、この発明の精製水製造装置においては、装置全体を加熱精製水によって殺菌消毒処理するために、より具体的には、微生物の増加を抑制するため、加熱した精製水を前記の各処理部に送液するためのポンプ８ｅが、前記精製水貯留槽６に付設されている。
また、前記ポンプ８ｅを介して、加熱精製水を循環させるためのバイパス主管９と、このバイパス主管９から各処理部に送液するためバイパス支管９ａ，９ｂ，９ｃが、図１に示すように配置されている。
【００３４】
なお、前記のバイパス主管９は、原料水供給槽１に接続することによって、精製水の回収再利用に用いることができる。
また、バイパス主管９とバイパス支管９ａ，９ｂ，９ｃとのサイクルを、精製水製造時において、各処理部のバイパスとして、具体的には、
１）原料水供給槽１を介さす原料水を、バイパス主管９→バイパス支管９ａを利用してカーボンフィルタ濾過処理槽３に、
２）原料水供給槽１を介さす原料水を、バイパス主管９→バイパス支管９ｂを利用してナノ透過膜処理槽４に、
３）バイパス支管９ｂ→バイパス主管９→バイパス支管９ｃを利用して、カーボンフィルタ濾過処理槽３からの原料水を逆浸透膜処理槽５に、
４）バイパス支管９ｃ→バイパス主管９を利用して、ナノ透過膜処理槽４で処理された原料水を直接精製水貯留槽６に
５）バイパス支管９ｃ→バイパス主管９を利用して、ナノ透過膜処理槽４で処理された原料水を直接透析装置に、供給することも可能なものである。
【００３５】
かかる構成の精製水製造装置による消毒殺菌処理は、以下のようにして行なわれる。
消毒殺菌処理に際して、まず、精製水貯留槽６に設けられた加熱装置７を作動させ、精製水貯留槽６に貯留されている精製水を加熱する。
【００３６】
ついで、加熱された精製水は、前記送水ポンプ８ｅによってバイパス主管９およびバイパス支管９ａを介して、カーボンフィルタ濾過処理槽３の上流（流入）側に送られ、カーボンフィルタ濾過処理槽３→ナノ透過膜処理槽４→逆浸透膜処理槽５内を通過して、装置内を殺菌しながら精製水貯留槽６に戻るという循環流が形成される。
【００３７】
より具体的には、精製水貯留槽６に貯留されている精製水を、カーボンフィルタ濾過処理槽３の消毒殺菌に最適な温度に設定し、加熱を開始し、精製水貯留槽６→送水ポンプ８ｅ→バイパス主管９→バイパス支管９ａ→カーボンフィルタ濾過処理槽３→ナノ透過膜処理槽４→逆浸透膜処理槽５→精製水貯留槽６の順に加熱循環を行なう。
【００３８】
そして、カーボンフィルタ濾過処理槽３の出口温度が設定温度８０℃に到達後、設定時間１０分が経過すると、カーボンフィルタ濾過処理槽３の消毒殺菌処理は完了とし、前記加熱精製水の循環経路を変更し、ナノ透過膜処理槽４の入口側に切り替え、精製水貯留槽６の加熱設定温度をナノ透過膜処理槽４の消毒殺菌に最適な温度に設定し、加熱循環を行なうものである。
【００３９】
ナノ透過膜処理槽４の出口温度が設定温度８０℃に到達後、設定時間３０分が経過すると、ナノ透過膜処理槽４の消毒殺菌処理は完了とし、加熱精製水の循環経路を変更し、逆浸透膜処理槽５の入口側に切り替え、精製水貯留槽６の加熱設定温度を逆浸透膜処理槽５の消毒殺菌に最適な温度に設定し、加熱循環を行なうものである。
【００４０】
前記逆浸透膜処理槽５の出口温度が設定温度８０℃に到達後、設定時間３０分が経過すると、逆浸透膜処理槽５の消毒殺菌処理は完了とする。
【００４１】
このように、最終的には、精製水の加熱は、精製水の温度が殺菌に必要な温度８０℃以上になるように行なわれ、その温度に加熱された精製水によって本質的に殺菌が行なわれるものである。
その際、精製水の循環は、前記精製水貯留槽６に貯留されている精製水が温度８０℃以上になる前から、すなわち、精製水の昇温中に開始することが、消毒殺菌時間の短縮のために好ましい。
【００４２】
加熱された精製水の循環による各処理部の加熱温度は、少なくとも温度８０℃以上が微生物の増殖を抑えるのに最も効果的で、その加熱時間は、処理部によって異なるが、１〜６０分、より好ましくは１０〜３０分である。
【００４３】
加熱精製水の逆浸透膜処理槽５と精製水貯留槽６の循環によって、逆浸透膜処理槽５の殺菌が完了したならば、加熱精製水の送液を停止し、精製水製造装置の殺菌完了とする。
なお、加熱された精製水による消毒殺菌処理に際し、精製水製造装置、特に各処理部が高温となっているので、原料水を用いて、加温された処理部を冷却する。
冷却に用いられた原料水は、系外に排出溝１１などを用いて放出する。
【００４４】
以上の操作による殺菌完了に要した時間は、それぞれの殺菌条件を、カーボンフィルタ濾過処理槽３について温度８０℃×１０分、ナノ透過膜処理槽４について温度８０℃×３０分、逆浸透膜処理槽５について温度８０℃×３０分とした場合、精製水貯留槽６の加温開始からで２時間４７分であった。
これに対し、加熱された精製水を、同一装置を使用して、バイパス主管９→バイパス支管９ａ→カーボンフィルタ濾過処理槽３→ナノ透過膜処理槽４→逆浸透膜処理槽５→精製水貯留槽６の順に循環させて消毒殺菌処理に要した時間は３時間１５分であったので、明らかにこの発明の消毒殺菌処理が効果的であった。
【００４５】
また、放出される熱量も、精製水貯留槽６を収納するキャビネット内の温度が５９．２℃と温度５７．２℃と異なり、減少していることが認められた。
【００４６】
なお、消毒殺菌処理に際し、加熱精製水の循環と経路の切り替えは、すべてコンピュータ制御によって実施されるもので、各ポンプもインバータ制御の可能なものを使用することが好ましい。
【００４７】
また、この発明の精製水製造装置は、消毒殺菌処理のために、バイパス主管と複数のバイパス支管を具備しているので、逆浸透膜処理槽５のみを単独で消毒殺菌処理することも当然可能なものである。
【産業上の利用可能性】
【００４８】
この発明の精製水製造装置およびその殺菌法は、消毒殺菌すべき処理部に一括して加熱精製水を循環させて、装置を消毒殺菌するという方式であるため、装置が複雑化せず、操作も簡便という優れたもので、精製水、純水などを使用する業界において広く利用される可能性の高いものである。
【図面の簡単な説明】
【００４９】
【図１】この発明にかかる精製水製造装置のシステムの概念図である。
【符号の説明】
【００５０】
１          原料水供給槽
２          フィルタ槽
３          カーボンフィルタ濾過処理槽
４          ナノ透過膜処理槽
５          逆浸透膜処理槽
６          精製水貯留槽
７          加熱装置
８ａ〜８ｅ  ポンプ
９          バイパス主管
９ａ〜９ｃ  バイパス支管
１０        透析装置
１１        排出口
【図１】
2010000433.tif 000003